(57)【要約】      （修正有）【課題】安全且つ便利に使用することができる、組合せ式Ａ字型梯子を提供する。【解決手段】上段梯子１と、中段梯子２と、下段梯子３とからなる。下段梯子は、梯子支柱と、支え脚ユニットと、補助脚と、調整支えクッション体と、調整結合部品とからなり、支え脚ユニットは梯子支柱の両側辺に設けられ、補助脚は支え脚ユニットに設けられ、調整支えクッション体は補助脚に螺設され、調整結合部品は一端が支え脚ユニットと結合されるとともに一部が梯子支柱内に収容される。以上の構造に基づき、調整結合部品によって支え脚ユニットを固定した後、補助脚を展開させ、調整支えクッション体によって梯子がより安定するように調整を行う。【選択図】図２
0003187730.tif 000002
【実用新案登録請求の範囲】
【請求項１】
上段梯子と、複数の中段梯子と、複数の下段梯子とからなる、組合せ式Ａ字型梯子であって、
前記中段梯子は、前記上段梯子と挿設されて結合し、
前記下段梯子は、前記中段梯子と挿設されて結合し、
さらに前記下段梯子は、梯子支柱と、複数の支え脚ユニットと、複数の補助脚と、複数の調整支えクッション体と、複数の調整結合部品とからなり、
前記梯子支柱内には、収容スペースが形成され、
前記支え脚ユニットは、一端が前記梯子支柱と結合されるとともに、前記梯子支柱の両側辺にそれぞれ設けられ、
前記補助脚は、前記支え脚ユニットにおける前記梯子支柱から離れた一端に可動に設けられ
前記調整支えクッション体は、前記補助脚における前記支え脚ユニットから離れた一端に螺設され、
前記調整結合部品は、前記支え脚ユニットと前記梯子支柱を調整且つ固定するとともに、前記調整結合部品の一端は前記支え脚ユニットと結合され、他端は前記収容スペース内に収容されることを特徴とする、組合せ式Ａ字型梯子。
【請求項２】
前記上段梯子の底部、及び前記中段梯子の底部には、いずれも複数の支え脚体が設けられ、
前記支え脚体は、前記上段梯子、前記中段梯子、及び前記下段梯子の結合時に挿設して固定するために用いられ、
さらに前記支え脚体には固定孔が形成され、前記固定孔は結合時に固定ボルトを挿設して固定するために用いられ、
前記梯子支柱には、さらに複数の固定部品が設けられて前記調整結合部品を固定するとともに、前記固定部品の一端が前記梯子支柱に設けられて偏心回転によって調整と固定を行い、
前記支え脚ユニットにおける補助脚が設けられた位置の近くには、第一孔、及び第二孔が形成され、
前記補助脚には、対応孔が形成され、
前記対応孔は、前記第一孔、或いは前記第二孔にそれぞれ対応して、前記補助脚を収納、或いは展開の状態にすることを特徴とする、請求項１に記載の組合せ式Ａ字型梯子。
【考案の詳細な説明】
【技術分野】
【０００１】
本考案は、組合せ式Ａ字型梯子に関し、特に安全且つ便利に使用することができる、組合せ式Ａ字型梯子に関する。
【背景技術】
【０００２】
現在社会では、使用できるスペースには限りがあるため、垂直方向に拡張させることにより、使用できるスペースを増やすことが多々ある。
【０００３】
上述の典型的な例がビルである。多くの生活上の設備は、普通の人が手を伸ばしても触れることのできない場所に取り付けられている（例えば、消防センサー、照明用具、監視カメラ等）。この他、例えば街灯、エレベーター設備、或いは貯水タンクも、補助器具を用いなければ手が届かない。
【０００４】
最も簡易な補助器具は梯子である。使用者は、梯子に上ることにより、通常では届かない場所での作業を進めることができる。
【０００５】
どのような種類の梯子であっても、使用時には、一つの梯子支柱が二つの支点によって支えられており、梯子がより高くなると、二つの支点では使い勝手が悪いと感じられる。また、梯子が倒れた時、上っている使用者が大きな怪我を負う恐れがある。加えて、梯子の高さが固定されているため、より高くしたい時には、新たに梯子を買うことで、適切な高さに対応させる必要がある。
【考案の概要】
【考案が解決しようとする課題】
【０００６】
そこで、本考案は、支え脚ユニット、補助脚、及び調整支えクッション体によって、梯子支柱と地面の接触点を増やして安定度を向上させるとともに、運搬時にこれらの部品を収納することができて移動に便利な、組合せ式Ａ字型梯子を提供することを目的とする。
【０００７】
また、本考案は、上段梯子、中段梯子、及び下段梯子の結合により、高さを変えて調整と選択を行うことができる、組合せ式Ａ字型梯子を提供することを目的とする。
【課題を解決するための手段】
【０００８】
本考案の組合せ式Ａ字型梯子は、上段梯子と、複数の中段梯子と、複数の下段梯子とが結合してなる組合式梯子である。前記下段梯子は、梯子支柱と、複数の支え脚ユニットと、複数の補助脚と、複数の調整支えクッション体と、複数の調整結合部品とからなる。前記支え脚ユニットは、一端が前記梯子支柱と結合されるとともに、前記梯子支柱の両側辺にそれぞれ設けられる。前記補助脚は、支え脚ユニットにおける梯子支柱から離れた一端に可動に設けられる。前記調整支えクッション体は、補助脚における前記支え脚ユニットから離れた一端に螺設される。前記調整結合部品は、前記支え脚ユニットと前記梯子支柱を調整且つ固定するとともに、前記調整結合部品の一端は支え脚ユニットと結合され、他端は前記梯子支柱内の収容スペースに収容される。
【０００９】
使用時は、支え脚ユニットをそれぞれ左右に展開させて調整結合部品で固定して支えた後、支え脚ユニット内に収容された補助脚を転出させて使用状態にするとともに、調整支えクッション体によって微調整を行うことにより、設置準備が完了する。この後、上段梯子、及び中段梯子を挿設して結合してから、さらに下段梯子と結合することにより、使用者が上って使用することができる状態になる。
【考案の効果】
【００１０】
以上の構造によって、必要とされる高さに応じて中段梯子の数を増減させることができる。また、接触面積、及び支点を増加させて、使用時の安定度を大幅に向上させることができる。
【図面の簡単な説明】
【００１１】
【図１】本考案の実施例の組立て斜視図（一）である。
【図２】本考案の実施例の組立て斜視図（二）である。
【図３】本考案の実施例の上段梯子を示した斜視図である。
【図４】本考案の実施例の上段梯子を示した分解図である。
【図５】本考案の実施例の中段梯子を示した斜視図である。
【図６】本考案の実施例の中段梯子を示した分解図である。
【図７】本考案の実施例の下段梯子を示した斜視図である。
【図８】本考案の実施例の下段梯子を示した分解図である。
【図９】本考案の実施例における下段梯子の使用作動図（一）である。
【図１０】本考案の実施例における下段梯子の使用作動図（二）である。
【図１１】本考案の実施例における下段梯子の使用作動図（三）である。
【考案を実施するための形態】
【００１２】
図１（本考案の実施例の組立て斜視図（一））から、図８（下段梯子を示した分解図）までを参照する。図に示したように本考案は、上段梯子１と、複数の中段梯子２と、複数の下段梯子３とからなる。上段梯子１底部には、結合用の複数の上段梯子支え脚体１１が設けられる。中段梯子２頂部には、開口が形成されて上段梯子支え脚体１１が挿設されるとともに固定ボルト４によって螺合され、且つ中段梯子２底部には、結合用の複数の中段梯子支え脚体２１が設けられる。下段梯子３頂部には、開口が形成されて中段梯子支え脚体２１が挿設されるとともに固定ボルト４によって螺合される。さらに下段梯子３は、梯子支柱３１と、複数の支え脚ユニット３２と、複数の補助脚３３と、複数の調整支えクッション体３４と、複数の調整結合部品３５とからなる。梯子支柱３１内には、収容スペース３１１が形成される。支え脚ユニット３２は、一端が梯子支柱３１と結合されるとともに、梯子支柱３１の両側辺にそれぞれ設けられる。補助脚３３は、支え脚ユニット３２における梯子支柱３１から離れた一端に可動に設けられる。調整支えクッション体３４は、補助脚３３における支え脚ユニット３２から離れた一端に螺設される。調整結合部品３５は、支え脚ユニット３２と梯子支柱３１を調整且つ固定するとともに、調整結合部品３５の一端は支え脚ユニット３２と結合され、他端は収容スペース３１１内に収容される。
さらに梯子支柱３１には、複数の固定部品３６が設けられて調整結合部品３５を固定するとともに、固定部品３６の一端が梯子支柱３１に設けられて偏心回転によって調整と固定を行う。
支え脚ユニット３２における補助脚３３が設けられた位置の近くには、第一孔３２１、及び第二孔３２２が形成される。また、補助脚３３には、対応孔３３１が形成される。対応孔３３１は、第一孔３２１、或いは第二孔３２２にそれぞれ対応して、補助脚３３を収納、或いは展開の状態にするとともに、固定トグル５が挿設されて固定される。
【００１３】
図１（本考案の実施例の組立て斜視図（一））から、図１１（下段梯子の使用作動図（三））までを参照する。図に示したように本考案は、使用時する際、まず、上段梯子１、中段梯子２、及び下段梯子３を、それぞれ上段梯子支え脚体１１、及び中段梯子支え脚体２１の挿設によって結合するとともに固定ボルト４で固定する（図６、図８を参照）。結合が完了した後、使用可能な状態になる（図１を参照）。本考案は、支え脚ユニット３２、補助脚３３、調整支えクッション体３４、及び調整結合部品３５が作動し合うことによって、使用時の安定度を高めることができる。以下で、その動作と構造について詳しく説明する。図９を参照する。通常は、固定部品３６によって調整結合部品３５を押さえて固定し、使用時に固定部品３６を旋転させることにより、調整結合部品３５が上方に向かって移動する空間が生まれ、調整結合部品３５上方に向かって移動した後、梯子支柱３１の左右両側にそれぞれ位置する支え脚ユニット３２を左右に開いて所定の開脚角度に調整する。この後、調整結合部品３５を下ろして固定する（ここで調整結合部品３５の構造について詳述する。調整結合部品３５の歯部が円弧状の設計をなすことにより、調整結合部品３５を下ろした時に自然にスライドして歯部と梯子支柱３１を結合して固定することができる）。調整結合部品３５と支え脚ユニット３２の開脚角度の調整が完了した後、固定部品３６によって調整結合部品３５を押さえて固定し、使用時にぶつかった衝撃で移動することがないようにする（図１０を参照）とともに、固定トグル５を取り出し（平常は移動や収納がしやすいように、第一孔３２１と対応孔３３１は対応した状態で固定トグル５が貫設されて固定されている）、補助脚３３を支え脚ユニット３２内から使用位置まで旋転移動させ（この時、第二孔３２２と対応孔３３１は連通状態をなす）、これと同時に固定トグル５を挿設することにより第二孔３２２と対応孔３３１を固定する（図１１を参照）。最後に、設置場所の地面、或いは支え脚ユニット３２の角度の違いに応じて、調整支えクッション体３４を旋転させて高低の微調整を行い、使用のための準備が完了する（図２を参照）。この状態において、８個の支え点によって左右方向の安定度が大幅に向上する他、使用する高さに応じて中段梯子２の数を増減させて高さ調整をすることができるという長所がある。使い終わった時は、固定ボルト４を取り外すことにより、上段梯子１、中段梯子２、及び下段梯子３を分離させる。このうち下段梯子３は、さらに固定トグル５を抜き出して、補助脚３３を支え脚ユニット３２内に旋転して収納するとともに、固定部品３６を回して緩めた後、調整結合部品３５を移動させて梯子支柱３１内の収容スペース３１１に収納することにより、支え脚ユニット３２と梯子支柱３１が接近した状態になる。さらに、固定部品３６旋転させて調整結合部品３５を押さえることにより、完全に収納された状態になる。
【符号の説明】
【００１４】
１            上段梯子
１１   上段梯子支え脚体
２            中段梯子
２１   中段梯子支え脚体
３            下段梯子
３１   梯子支柱
３１１ 収容スペース
３２   支え脚ユニット
３２１ 第一孔
３２２ 第二孔
３３   補助脚
３３１ 対応孔
３４   調整支えクッション体
３５   調整結合部品
３６   固定部品
４            固定ボルト
５            固定トグル
【図１】
0003187730.tif 000003
【図２】
0003187730.tif 000004
【図３】
0003187730.tif 000005
【図４】
0003187730.tif 000006
【図５】
0003187730.tif 000007
【図６】
0003187730.tif 000008
【図７】
0003187730.tif 000009
【図８】
0003187730.tif 000010
【図９】
0003187730.tif 000011
【図１０】
0003187730.tif 000012
【図１１】
0003187730.tif 000013